(57)【要約】【課題】結露を防止することのできる空気調和機を提供する。【解決手段】吸込口４ａ、４ｃから取り入れた空気を室内熱交換器９と熱交換して吹出口５から送出する空気調和機１において、複数の貫通孔を有する部材や多孔質材料等から成る通気性の横ルーバ１１ａ、１１ｂを吹出口５に設けることにより、横ルーバ１１ａ、１１ｂを通過した空気Ｂが横ルーバ１１ａ、１１ｂの外面と接触する。これにより、横ルーバ１１ａ、１１ｂの内面と外面が略同じ温度に保持され、冷房運転時の結露が防止される。【選択図】　　　図５
2004101072.tif 000002
【特許請求の範囲】
【請求項１】
室内の空気を取り入れて調和した空気を送出する吹出口に空気の吹出し方向を可変する通気性の第１風向板を設けたことを特徴とする空気調和機。
【請求項２】
第１風向板に複数の貫通孔を設けたことを特徴とする請求項１に記載の空気調和機。
【請求項３】
第１風向板が多孔質材料から成ることを特徴とする請求項１に記載の空気調和機。
【請求項４】
第１風向板が繊維状素材から成ることを特徴とする請求項１に記載の空気調和機。
【請求項５】
第１風向板は隙間を有して連結される複数の部材から成ることを特徴とする請求項１に記載の空気調和機。
【請求項６】
前記吹出口に第２風向板を設け、第２風向板に沿って空気を送出するとともに前記吹出口から吹き出される空気を遮蔽する向きに第１風向板を配置できることを特徴とする請求項１〜請求項５のいずれかに記載の空気調和機。
【請求項７】
第１風向板は空気調和機の前面を覆うフロントパネルまたは筐体と異なる色から成ることを特徴とする請求項６に記載の空気調和機。
【請求項８】
第２風向板が通気性を有し、前記吹出口から吹き出される空気を遮蔽する向きに第１、第２風向板を択一的に配置できることを特徴とする請求項６または請求項７に記載の空気調和機。
【請求項９】
第１、第２風向板は異なる色から成ることを特徴とする請求項６〜請求項８のいずれかに記載の空気調和機。
【請求項１０】
前記吹出口は前方へ行くほど上方になるように形成された上壁を有し、前記上壁に沿って前記吹出口から上方に向けて空気を送出できることを特徴とする請求項１〜請求項９のいずれかに記載の空気調和機。
【発明の詳細な説明】
【０００１】
【発明の属する技術分野】
【０００２】
本発明は、空気調和機に関し、特に空気を送出する吹出口に吹出し方向を可変する風向板を有する空気調和機に関する。
【従来の技術】
【０００３】
従来の空気調和機は特願２００１−２５１１８６号等に示される。図２０は、この従来の空気調和機の室内機を示す概略側面断面図である。空気調和機の室内機１は、キャビネット２により本体部が保持されており、キャビネット２には前面側と上面側に吸込口４ａ、４ｃが設けられたフロントパネル３が着脱自在に取り付けられている。キャビネット２は後方側面に爪部（不図示）が設けられ、室内の壁に取り付けられた取付板に該爪部を係合することにより支持される。
【０００４】
フロントパネル３の下端部とキャビネット２の下端部との間隙には、室内機１の幅方向に延びる略矩形の吹出口５が形成されている。室内機１の内部には、吸込口４ａ、４ｃから吹出口５に連通する送風経路６が形成されている。送風経路６内には空気を送出する送風ファン７が配されている。
【０００５】
フロントパネル３に対向する位置には、吸込口４ａ、４ｃから吸い込まれた空気に含まれる塵埃を捕集・除去するエアフィルタ８が設けられている。送風経路６中の送風ファン７とエアフィルタ８との間には、室内熱交換器９が配置されている。
【０００６】
室内熱交換器９は屋外に配される圧縮機（不図示）に接続されており、圧縮機の駆動により冷凍サイクルが運転される。冷凍サイクルの運転によって冷房時には室内熱交換器９が周囲温度よりも低温に冷却される。また、暖房時には、室内熱交換器９が周囲温度よりも高温に加熱される。
【０００７】
室内熱交換機９の前後の下部には冷房または除湿時に室内熱交換器９から落下した結露を補集するドレンパン１０が設けられている。送風経路６内の吹出口５の近傍には、外部に臨んで垂直方向の吹出角度を略水平乃至下方向に変更可能な複数の横ルーバ１１ａ、１１ｂが設けられている（以下、複数の横ルーバの全てを「横ルーバ１１」という場合がある）。横ルーバ１１ａ、１１ｂの奥側には左右方向の吹出角度を変更可能な縦ルーバ１２が設けられている。
【０００８】
上記構成の空気調和機において、空気調和機の運転を開始すると、送風ファン７が回転駆動され、室外機（不図示）からの冷媒が室内熱交換器９へ流れて冷凍サイクルが運転される。これにより、室内機１内には吸込口４ａ、４ｃから空気が吸い込まれ、エアフィルタ８によって空気中に含まれる塵埃が除去される。
【０００９】
室内機１内に取り込まれた空気は室内熱交換器９と熱交換し、冷却または加熱される。そして、送風経路６を通って縦ルーバ１２及び横ルーバ１１ａ、１１ｂによって左右方向及び上下方向の向きが規制され、吹出口５から下方に向けて室内に送出される。これにより、室内の空気調和が行われる。
【００１０】
【発明が解決しようとする課題】
上記従来の空気調和機によると、吹出口５から略鉛直下方に調和空気を送出する際には図２１に示すように横ルーバ１１ａ、１１ｂが略鉛直に配される。この状態で冷房運転を行うと、横ルーバ１１ａの両面は調和空気と接触するが、横ルーバ１１ｂは内面側が調和空気と接触して外面側が室内の空気と接触する。このため、上方の横ルーバ１１ｂの両面に温度差が生じて外面側に結露１６が発生する問題があった。
【００１１】
また、図２２に示すように、吹出口５から略水平に調和空気を送出する際には下方の横ルーバ１１ａは内面側が調和空気と接触して外面側が室内の空気と接触する。このため、上記と同様に横ルーバ１１ａの両面に温度差が生じて外面側に結露１６が発生する。
【００１２】
また、横ルーバ１１ａ、１１ｂを上方まで回動して水平方向よりも上方に調和空気を送出することのできる空気調和機も研究されている。例えば横ルーバ１１ｂを上方に向けると、図２３に示すように、上方の横ルーバ１１ｂの上面側に沿って調和空気が上方に導かれ、横ルーバ１１ａに沿って横ルーバ１１ｂの下方から略水平方向に送出される。この時、横ルーバ１１ｂの下流部分において空気の流れの剥離が生じ、矢印Ｄに示すように横ルーバ１１ｂの外面側に室内の空気が接触する。従って、上記と同様に横ルーバ１１ｂの外面側に結露が生じる問題があった。
【００１３】
本発明は、結露を防止することのできる空気調和機を提供することを目的とする。
【００１４】
【課題を解決するための手段】
上記目的を達成するために本発明は、室内の空気を取り入れて調和した空気を送出する吹出口に空気の吹出し方向を可変する通気性の第１風向板を設けたことを特徴としている。この構成によると、吹出口から送出される空気は第１風向板に沿って導かれるとともに、一部が第１風向板を通過する。これにより、第１風向板の両面が調和空気と接触して略同じ温度に保持される。通気性の第１風向板は複数の貫通孔を設けて容易に形成できる。また、第１風向板を多孔質材料や繊維状素材により形成しても良く、複数の部材を隙間を有して連結しても良い。
【００１５】
また本発明は、上記構成の空気調和機において、第２風向板に沿って空気を送出するとともに前記吹出口から吹き出される空気を遮蔽する向きに第１風向板を配置できることを特徴としている。この構成によると、第１風向板を閉じて吹出口の開口面積が小さい状態で、第２風向板に沿って調和空気が吹出口からより遠方に送出される。第１風向板の内面は送出前の調和空気が接触し、外面は第１風向板を通過した調和空気が接触する。第１風向板をフロントパネルまたは筐体と異なる色にすることにより第１風向板の閉塞状態を容易に視認して吹出し方向を容易に判別できる。
【００１６】
また本発明は、上記構成の空気調和機において、第２風向板が通気性を有し、前記吹出口から吹き出される空気を遮蔽する向きに第１、第２風向板を択一的に配置できることを特徴としている。この構成によると、第１、第２風向板のいずれか一方を閉じて吹出口の開口面積が小さい状態で、他方に沿って調和空気が吹出口からより遠方に送出される。第１、第２風向板の閉じた側は調和空気が通過して内面と外面とが同じ温度に保持される。また、第１、第２風向板を異なる色にすることにより閉塞状態を容易に視認して吹出方向を容易に判別できる。
【００１７】
また本発明は、前記吹出口は前方へ行くほど上方になるように形成された上壁を有し、前記上壁に沿って前記吹出口から上方に向けて空気を送出できることを特徴としている。この構成によると、第１風向板を通過する空気によって第１風向板の下流で流れの剥離を生じることなく第１風向板及び吹出口の上壁に沿って調和空気が上方に向けて送出される。
【００１８】
【発明の実施の形態】
以下に本発明の実施形態を図面を参照して説明する。説明の便宜上、従来例の図２０〜図２３と同一の部分については同一の符号を付している。図１は第１実施形態の空気調和機を示す概略側面断面図である。
【００１９】
空気調和機の室内機１は、キャビネット２により本体部が保持されており、キャビネット２には前面側と上面側に吸込口４ａ、４ｃが設けられたフロントパネル３が着脱自在に取り付けられている。キャビネット２は後方側面に爪部（不図示）が設けられ、室内の壁に取り付けられた取付板に該爪部を係合することにより支持される。
【００２０】
フロントパネル３の下端部とキャビネット２の下端部との間隙には、室内機１の幅方向に延びる略矩形の吹出口５が形成されている。室内機１の内部には、吸込口４ａ、４ｃから吹出口５に連通する送風経路６が形成されている。送風経路６内には空気を送出する送風ファン７が配されている。送風ファン７として、例えば、クロスフローファン等を用いることができる。
【００２１】
フロントパネル３に対向する位置には、吸込口４ａ、４ｃから吸い込まれた空気に含まれる塵埃を捕集・除去するエアフィルタ８が設けられている。送風経路６中の送風ファン７とエアフィルタ８との間には、室内熱交換器９が配置されている。
【００２２】
室内熱交換器９は屋外に配される圧縮機（不図示）に接続されており、圧縮機の駆動により冷凍サイクルが運転される。冷凍サイクルの運転によって冷房時には室内熱交換器９が周囲温度よりも低温に冷却される。また、暖房時には、室内熱交換器９が周囲温度よりも高温に加熱される。
【００２３】
室内熱交換機９の前後の下部には冷房または除湿時に室内熱交換器９から落下した結露を補集するドレンパン１０が設けられている。送風経路６内の吹出口５の近傍には、外部に臨んで垂直方向の吹出角度を下方乃至上方に変更可能な複数の横ルーバ（第１、第２風向板）１１ａ、１１ｂが設けられている。横ルーバ１１ａ、１１ｂの奥側には左右方向の吹出角度を変更可能な縦ルーバ１２が設けられている。
【００２４】
横ルーバ１１ａ、１１ｂは同様に構成され、図２は横ルーバ１１の詳細を示す部分斜視図である。横ルーバ１１は樹脂成形品から成り、表面に複数の貫通孔１５ａが設けられている。本実施形態では貫通孔１５ａの直径を約１ｍｍに形成している。これにより、横ルーバ１１は通気性を有し、図３に示すように、横ルーバ１１に衝突する空気の一部が貫通孔１５ａを介して通過する。また、横ルーバ１１ａ、１１ｂは前面に配されるフロントパネル３と異なる色に形成されている。更に横ルーバ１１ａと横ルーバ１１ｂとは異なる色に形成されている。
【００２５】
上記構成の空気調和機において、空気調和機の運転を開始すると、送風ファン７が回転駆動され、室外機（不図示）からの冷媒が室内熱交換器９へ流れて冷凍サイクルが運転される。これにより、室内機１内には吸込口４ａ、４ｃから空気が吸い込まれ、エアフィルタ８によって空気中に含まれる塵埃が除去される。
【００２６】
室内機１内に取り込まれた空気は室内熱交換器９と熱交換し、冷却または加熱される。そして、送風経路６を通って縦ルーバ１２及び横ルーバ１１ａ、１１ｂの向きが所定の向きに配置され、例えば、吹出口５から図１の矢印Ａ１に示すように斜め下方向に向けて室内に送出される。これにより、室内の空気調和が行われる。この時、調和空気は横ルーバ１１ａ、１１ｂの両面に沿って送出されるため横ルーバ１１ａ、１１ｂの両面が略同じ温度になり、結露が発生しない。
【００２７】
図４に示すように、横ルーバ１１ａ、１１ｂを下向きに配置すると、矢印Ａ２に示すように調和空気が下方に向けて送出される。また、横ルーバ１１ａ、１１ｂを通過した空気は横ルーバ１１ａ、１１ｂに導かれて矢印Ａ２方向に送出される空気よりも流速が小さい。このため、横ルーバ１１ａ、１１ｂを通過した空気はベルヌーイの定理によりＡ２方向に流れる空気に引き寄せられ、矢印Ｂに示すようにＡ２方向に沿って流れる。これにより、横ルーバ１１ａ、１１ｂの外面は通過した空気と接触して内面と略同じ温度になっている。従って、冷房運転時や除湿運転時に横ルーバ１１ａ、１１ｂの外面に発生する結露を防止することができる。
【００２８】
図５は、横ルーバ１１ｂを略水平に配置するとともに、吹出口５から送出される空気を遮るように横ルーバ１１ａを配置した状態を示している。同図によると、矢印Ａ３に示すように調和空気は略水平方向に送出される。調和空気は横ルーバ１１ｂの両面に沿って送出されるため横ルーバ１１ｂの両面が略同じ温度になっている。
【００２９】
また、横ルーバ１１ａを通過した空気がＡ３方向に流れる空気に引き寄せられ、Ｂ方向に導かれる。この時、横ルーバ１１ａを通過した空気が横ルーバ１１ａの外面と接触して、横ルーバ１１ａの外面が内面と略同じ温度になっている。従って、冷房運転時や除湿運転時に下方の横ルーバ１１ａの外面に発生する結露を防止することができる。
【００３０】
この時、横ルーバ１１ａがフロントパネル３及び横ルーバ１１ｂと色が異なるため、横ルーバ１１ａが閉じられていることを使用者が容易に視認することができる。従って、吹出口５から空気が水平方向に吹き出していることを使用者が容易に判別することができる。横ルーバ１１ａを筐体２と異なる色に形成しても良い。また、横ルーバ１１ｂと上下方向の幅が異なるように形成しても良く、異なるデザインに形成しても良い。
【００３１】
図６は、下方の横ルーバ１１ａを斜め上方に向けて配置するとともに、吹出口５から送出される空気を遮るように上方の横ルーバ１１ｂを配置した状態を示している。同図によると、矢印Ａ４に示すように調和空気は横ルーバ１１ａに沿って斜め上方に送出される。上記と同様に、横ルーバ１１ａ、１１ｂの外面は通過した空気（Ｂ）と接触し、内面と略同じ温度になっている。従って、冷房運転時や除湿運転時に横ルーバ１１ａ、１１ｂの外面に発生する結露を防止することができる。
【００３２】
また、吹出口５の上部が横ルーバ１１ｂにより遮蔽されるため吹出口５の開口面積が狭くなる。これにより、斜め上方に送出される空気をより遠くに到達させることができ、室内の空気を大きく循環して温度分布を均一にすることができる。
【００３３】
この時、横ルーバ１１ｂがフロントパネル３及び横ルーバ１１ａと色が異なるため、横ルーバ１１ｂが閉じられていることを使用者が容易に視認することができる。従って、吹出口５から空気が斜め上方に吹き出していることを使用者が容易に判別することができる。横ルーバ１１ｂを筐体２と異なる色に形成しても良い。
【００３４】
また、上方の横ルーバ１１ｂと筐体２との間をＣ部に示すように若干開いた状態にしても使用者は閉じていると判断できる。これにより、Ｃ部から漏出する空気の一部が横ルーバ１１ｂの外面側に回り込んで結露をより防止することができる。
【００３５】
本実施形態において、横ルーバ１１は複数の断面円形の貫通孔１５ａ（図２参照）により通気性を有しているが、断面多角形の貫通孔やスリット状の貫通孔を設けても良く、他の構成により通気性を設けても良い。
【００３６】
図７は第２実施形態の空気調和機の横ルーバ１１を示す部分斜視図である。他の構成は第１実施形態と同様である。本実施形態は横ルーバ１１が多孔質セラミック等の多孔質材料から成っている。このため、横ルーバ１１は通気性を有し、第１実施形態と同様の効果を得ることができる。
【００３７】
図８は第３実施形態の空気調和機の横ルーバ１１を示す部分斜視図である。他の構成は第１実施形態と同様である。本実施形態は横ルーバ１１がエアフィルター等に用いられる繊維状素材から成っている。このため、横ルーバ１１は通気性を有し、第１実施形態と同様の効果を得ることができる。
【００３８】
図９は第４実施形態の空気調和機の横ルーバ１１を示す部分斜視図である。他の構成は第１実施形態と同様である。本実施形態は横ルーバ１１が対向配置される複数の放電電極１７ａ及び対向電極１７ｂを有している。放電電極１７ａ及び対向電極１７ｂには上下に切欠きが設けられ、該切欠きに嵌入された樹脂製の支持部材１１ｇにより隙間を有して支持されている。このため、横ルーバ１１は隙間により通気性を有し、第１実施形態と同様の効果を得ることができる。
【００３９】
また、放電電極１７ａ及び対向電極１７ｂの枚数を可変することにより、異なる長さの横ルーバ１１を容易に形成することができる。従って、機種の異なる空気調和機の部品を共通化してコストを削減することができる。更に、放電電極１７ａと対向電極１７ｂとの間に電圧を印加すると塵埃を集塵することができるため、空気調和機１の集塵性能を向上させることができる。
【００４０】
本実施形態において、複数の部材を隙間を有して連結して横ルーバ１１を構成すれば他の構成であっても通気性を得ることができる。例えば、横ルーバ１１を冷媒管及び放熱フィンにより構成し、隙間を有して複数の放熱フィンを配置することにより通気性を有するとともに熱交換器として作用させることができる。また、光触媒が塗布された複数のプレートを隙間を有して配列することによって、通気性を有するとともに空気中の油脂分の吸着及び分解を行うことも可能である。
【００４１】
次に、図１０は第５実施形態の空気調和機を示す概略側面断面図である。説明の便宜上、前述の図１〜図５に示す第１実施形態と同様の部分には同一の符号を付している。本実施形態は、下方の横ルーバ１１ａ（第１風向板）が第１実施形態と同様に通気性を有しており、上方の横ルーバ１１ｂ（第２風向板）が通気性を有していない。その他の部分は第１実施形態と同様である。尚、下方の横ルーバ１１ａとして第２〜第４実施形態（図７〜図９参照）の横ルーバを用いても良い。
【００４２】
図１０によると、横ルーバ１１ａ、１１ｂは斜め下向きに配置され、矢印Ａ１に示すように斜め下方向に調和空気が送出される。この時、調和空気は横ルーバ１１ａ、１１ｂの両面に沿って送出されるため横ルーバ１１ａ、１１ｂの両面が略同じ温度になっている。
【００４３】
図１１は、横ルーバ１１ｂを略水平に配置するとともに、吹出口５から送出される空気を遮るように横ルーバ１１ａを配置した状態を示している。同図によると、矢印Ａ３に示すように調和空気は略水平方向に送出される。調和空気は横ルーバ１１ｂの両面に沿って送出されるため横ルーバ１１ｂの両面が略同じ温度になっている。
【００４４】
また、横ルーバ１１ａを通過した空気がＡ３方向に引き寄せられてＢ方向に導かれる。この時、横ルーバ１１ａを通過した空気が横ルーバ１１ａの外面と接触し、横ルーバ１１ａの外面が内面と略同じ温度になっている。従って、冷房運転時や除湿運転時に横ルーバ１１ａの外面に発生する結露を防止することができる。
【００４５】
また、吹出口５の下部が横ルーバ１１ａにより遮蔽されるため吹出口５の開口面積が狭くなる。これにより、水平に送出される空気をより遠くに到達させることができ、室内の空気を大きく循環して温度分布を均一にすることができる。
【００４６】
図１２は、横ルーバ１１ｂを略鉛直に配置するとともに、吹出口５から送出される空気を遮るように横ルーバ１１ａを配置した状態を示している。同図によると、矢印Ａ２に示すように調和空気は下方向に送出される。横ルーバ１１ａを通過した空気はＡ２方向に引き寄せられてＢ方向に導かれる。
【００４７】
吹出口５の上部は横ルーバ１１ｂにより遮蔽されるため吹出口５の開口面積が狭くなる。これにより、下方に送出される空気を拡散させずに床面まで到達させることができ、室内の空気を大きく循環して温度分布を均一にすることができる。特に、下方にカーテンレール等の障害物があっても調和空気を容易に床面に到達させることができる。
【００４８】
この時、横ルーバ１１ａにより吹出口５を遮蔽しても横ルーバ１１ａを通過した空気が横ルーバ１１ａの外面と接触する。このため、横ルーバ１１ａの外面が内面と略同じ温度になり、冷房運転時や除湿運転時に横ルーバ１１ａの外面に発生する結露を防止することができる。
【００４９】
図１３は、横ルーバ１１ｂを上方に向けて配置するとともに、吹出口５から送出される空気を遮るように横ルーバ１１ａを配置した状態を示している。同図によると、矢印Ａ４に示すように調和空気は横ルーバ１１ｂに沿って斜め上方に送出される。横ルーバ１１ｂの両面は送出される空気に接触するため略同じ温度になる。
【００５０】
横ルーバ１１ａを通過した空気はＡ４方向に引き寄せられてＢ方向に導かれる。この時、横ルーバ１１ａを通過した空気は横ルーバ１１ａの外面に接触し、横ルーバ１１ａの外面が内面と略同じ温度になっている。従って、冷房運転時や除湿運転時に横ルーバ１１ａの外面に発生する結露を防止することができる。
【００５１】
また、吹出口５の下部が横ルーバ１１ａにより遮蔽されるため吹出口５の開口面積が狭くなる。これにより、斜め上方に送出される空気をより遠くに到達させることができ、室内の空気を大きく循環して温度分布を均一にすることができる。
【００５２】
次に、図１４は第６実施形態の空気調和機を示す概略側面断面図である。説明の便宜上、前述の図１〜図５に示す第１実施形態と同様の部分には同一の符号を付している。本実施形態は、上方の横ルーバ１１ｂ（第１風向板）が第１実施形態と同様に通気性を有し、下方の横ルーバ１１ａ（第２風向板）が通気性を有していない。その他の部分は第１実施形態と同様である。尚、上方の横ルーバ１１ｂとして第２〜第４実施形態（図７〜図９参照）の横ルーバを用いても良い。
【００５３】
図１４によると、横ルーバ１１ａ、１１ｂは斜め下向きに配置され、矢印Ａ１に示すように斜め下方向に調和空気が送出される。この時、調和空気は横ルーバ１１ａ、１１ｂの両面に沿って送出されるため横ルーバ１１ａ、１１ｂの両面が略同じ温度になっている。
【００５４】
図１５は、横ルーバ１１ａを斜め下向きに配置するとともに、吹出口５から送出される空気を遮るように横ルーバ１１ｂを配置した状態を示している。同図によると、矢印Ａ１に示すように調和空気は斜め下方向に送出される。調和空気は横ルーバ１１ａの両面に沿って送出されるため横ルーバ１１ｂの両面が略同じ温度になっている。
【００５５】
また、横ルーバ１１ｂを通過した空気がＡ１方向に引き寄せられてＢ方向に導かれる。この時、横ルーバ１１ｂを通過した空気が横ルーバ１１ｂの外面と接触し、横ルーバ１１ｂの外面が内面と略同じ温度になっている。従って、冷房運転時や除湿運転時に横ルーバ１１ｂの外面に発生する結露を防止することができる。
【００５６】
また、吹出口５の上部が横ルーバ１１ａにより遮蔽されるため吹出口５の開口面積が狭くなる。これにより、調和空気を天井方向や床面方向に拡散させずにより遠くに送出することができ、室内の中央部まで調和空気を到達させて使用者の周囲をより快適にすることができる。
【００５７】
図１６は、横ルーバ１１ａを鉛直に配置するとともに、吹出口５から送出される空気を遮るように横ルーバ１１ｂを配置した状態を示している。同図によると、矢印Ａ２に示すように調和空気は下方に送出される。調和空気は横ルーバ１１ａの両面に沿って送出されるため横ルーバ１１ａの両面が略同じ温度になっている。
【００５８】
また、横ルーバ１１ｂを通過した空気がＡ２方向に引き寄せられてＢ方向に導かれる。この時、横ルーバ１１ｂを通過した空気が横ルーバ１１ｂの外面と接触し、横ルーバ１１ｂの外面が内面と略同じ温度になっている。従って、冷房運転時や除湿運転時に横ルーバ１１ｂの外面に発生する結露を防止することができる。
【００５９】
また、吹出口５の上部が横ルーバ１１ａにより遮蔽されるため吹出口５の開口面積が狭くなる。これにより、調和空気を拡散させずに床面に到達させることができ、室内の空気を大きく循環して温度分布を均一にすることができる。
【００６０】
次に、図１７は第７実施形態の空気調和機を示す概略側面断面図である。説明の便宜上、前述の図１〜図５に示す第１実施形態と同様の部分には同一の符号を付している。本実施形態は、吹出口５の上壁５ｂが前方へ行くほど上方に傾斜している。そして、第１実施形態と同様形状で通気性のない横ルーバ１１ａ、１１ｂ（第２風向板）が設けられるとともに、横ルーバ１１ｂの上方に通気性を有する横ルーバ１１ｃ（第１風向板）が設けられている。
【００６１】
横ルーバ１１ｃは回動軸１４を支軸として枢支され、上壁５ｂに沿って流通する空気を略水平乃至上方に導く向きに回動可能になっている。通気性を有する横ルーバ１１ｃは第１実施形態と同様に複数の貫通孔を設けて得ることができる。また、第２〜第４実施形態（図７〜図９参照）の横ルーバと同様に形成しても良い。
【００６２】
図１７は、横ルーバ１１ａ、１１ｂを斜め下向きに配置するとともに、吹出口５から送出される空気を遮るように横ルーバ１１ｃを配置した状態を示している。同図によると、矢印Ａ１に示すように調和空気は斜め下方向に送出される。これにより、室内の中央部に向けて調和空気が送出され、室内が空気調和される。調和空気は横ルーバ１１ａ、１１ｂの両面に沿って送出されるため横ルーバ１１ａ、１１ｂの両面が略同じ温度になっている。
【００６３】
また、横ルーバ１１ｃを通過した空気がＡ１方向に引き寄せられてＢ方向に導かれる。この時、横ルーバ１１ｃを通過した空気が横ルーバ１１ｃの外面と接触し、横ルーバ１１ｃの外面が内面と略同じ温度になっている。従って、冷房運転時や除湿運転時に横ルーバ１１ｃの外面に発生する結露を防止することができる。
【００６４】
図１８は、横ルーバ１１ａ、１１ｂを下向きに配置するとともに、吹出口５から送出される空気を遮るように横ルーバ１１ｃを配置した状態を示している。同図によると、矢印Ａ２に示すように調和空気は下方に送出される。これにより、床面に向けて調和空気が送出される。調和空気は横ルーバ１１ａ、１１ｂの両面に沿って送出されるため横ルーバ１１ａ、１１ｂの両面が略同じ温度になっている。
【００６５】
また、横ルーバ１１ｃを通過した空気がＡ２方向に引き寄せられてＢ方向に導かれる。横ルーバ１１ｃを通過した空気は横ルーバ１１ｃの外面と接触し、横ルーバ１１ｃの外面が内面と略同じ温度になっている。従って、冷房運転時や除湿運転時に横ルーバ１１ｃの外面に発生する結露を防止することができる。
【００６６】
図１９は、横ルーバ１１ａ、１１ｂ、１１ｃを斜め上方に向けて配置した状態を示している。同図によると、矢印Ａ４に示すように調和空気は斜め上方に送出される。これにより、室内の温度等が安定した際に調和空気が使用者に常に当たることを防止するとともに、調和空気をより遠くに到達させて室内の空気を大きく循環して均一な空気調和を行うことができる。この時、調和空気は横ルーバ１１ａ、１１ｂ、１１ｃの両面に沿って送出されるため、横ルーバ１１ａ、１１ｂ、１１ｃの両面が略同じ温度になっている。
【００６７】
また、横ルーバ１１ｃを斜め上方に向けて配置するとともに横ルーバ１１ａ、１１ｂを略水平方向に配置しても、横ルーバ１１ｃを通過する空気によって横ルーバ１１ｃの下流側で前述の図２３に示すような流れの剥離が生じず、横ルーバ１１ｃの結露を防止することができる。
【００６８】
尚、本実施形態において、第１実施形態と同様に横ルーバ１１ａ、１１ｂが通気性を有するように形成すると横ルーバ１１ａ、１１ｂの結露を防止することができる。また、第１実施形態と同様に、横ルーバ１１ａ、１１ｂ、１１ｃをそれぞれ異なる色、デザインまたは幅で形成しても良く、フロントパネル３や筐体２と異なる色に形成しても良い。
【００６９】
【発明の効果】
本発明によると、第１、第２風向板が通気性を有するので、第１、第２風向板を通過する空気によって第１、第２風向板の両面を略同じ温度にすることができる。従って、第１、第２風向板の結露を防止することができる。
【００７０】
また本発明によると、第１、第２風向板を択一的に吹出口を遮蔽する向きに配置することができるので、吹出口の開口面積を狭くしてより遠くに調和空気を到達させることができる。この時、吹出口の一部を遮蔽しても第１風向板または第２風向板の外面側は通過した空気と接触して結露が防止される。
【図面の簡単な説明】
【図１】本発明の第１実施形態の空気調和機を示す概略側面断面図
【図２】本発明の第１実施形態の空気調和機の横ルーバを示す部分斜視図
【図３】本発明の第１実施形態の空気調和機の横ルーバの作用を示す側面断面図
【図４】本発明の第１実施形態の空気調和機の動作を示す概略側面断面図
【図５】本発明の第１実施形態の空気調和機の動作を示す概略側面断面図
【図６】本発明の第１実施形態の空気調和機の動作を示す概略側面断面図
【図７】本発明の第２実施形態の空気調和機の横ルーバを示す部分斜視図
【図８】本発明の第３実施形態の空気調和機の横ルーバを示す部分斜視図
【図９】本発明の第４実施形態の空気調和機の横ルーバを示す部分斜視図
【図１０】本発明の第５実施形態の空気調和機を示す概略側面断面図
【図１１】本発明の第５実施形態の空気調和機の動作を示す概略側面断面図
【図１２】本発明の第５実施形態の空気調和機の動作を示す概略側面断面図
【図１３】本発明の第５実施形態の空気調和機の動作を示す概略側面断面図
【図１４】本発明の第６実施形態の空気調和機を示す概略側面断面図
【図１５】本発明の第６実施形態の空気調和機の動作を示す概略側面断面図
【図１６】本発明の第６実施形態の空気調和機の動作を示す概略側面断面図
【図１７】本発明の第７実施形態の空気調和機を示す概略側面断面図
【図１８】本発明の第７実施形態の空気調和機の動作を示す概略側面断面図
【図１９】本発明の第７実施形態の空気調和機の動作を示す概略側面断面図
【図２０】従来の空気調和機を示す概略側面断面図
【図２１】従来の空気調和機の動作を示す概略側面断面図
【図２２】従来の空気調和機の動作を示す概略側面断面図
【図２３】従来の空気調和機の横ルーバの作用を示す側面断面図
【符号の説明】
１　　空気調和機
２　　キャビネット
３　　フロントパネル
４ａ、４ｃ　吸込口
５　　吹出口
６　　送風経路
７　　送風機
８　　フィルター
９　　室内熱交換器
１１、１１ａ、１１ｂ、１１ｃ　横ルーバ
１２　　縦ルーバ
１５ａ　貫通孔
１７ａ　放電電極
１７ｂ　対向電極
【図１】
2004101072.tif 000003
【図２】
2004101072.tif 000004
【図３】
2004101072.tif 000005
【図４】
2004101072.tif 000006
【図５】
2004101072.tif 000007
【図６】
2004101072.tif 000008
【図７】
2004101072.tif 000009
【図８】
2004101072.tif 000010
【図９】
2004101072.tif 000011
【図１０】
2004101072.tif 000012
【図１１】
2004101072.tif 000013
【図１２】
2004101072.tif 000014
【図１３】
2004101072.tif 000015
【図１４】
2004101072.tif 000016
【図１５】
2004101072.tif 000017
【図１６】
2004101072.tif 000018
【図１７】
2004101072.tif 000019
【図１８】
2004101072.tif 000020
【図１９】
2004101072.tif 000021
【図２０】
2004101072.tif 000022
【図２１】
2004101072.tif 000023
【図２２】
2004101072.tif 000024
【図２３】
2004101072.tif 000025